(57)【要約】【課題】各種の清掃器具・用品等に大小、形態の相違その他があっても、それらに対応してほぼ密閉状態で覆い、例えば持ち運ぶときの車輌内でも異臭を発生させず、しかも収納保管中での清掃器具・用品等に存する雑菌類の繁殖を抑制できることで作業現場で開放し、取り出し、使用するときでも清掃場所にその雑菌類を伝染させず、衛生的に作業を遂行できるようにする。【解決手段】清掃器具・用品等Ｓを収納保管する袋状を呈し、抗菌処理（２）を施した収納保管袋体１から成り、この収納保管袋体１の開口部には閉塞手段５を設ける。収納保管袋体１は、抗菌素材２を含有させた軟質塩化ビニール樹脂シート製とし、閉塞手段５は、二重の縛り紐８による巾着縛り構造とする。【選択図】図１
0003158546.tif 000002
【実用新案登録請求の範囲】
【請求項１】
清掃器具・用品等Ｓを収納保管する袋状を呈し、抗菌処理が施されている収納保管袋体から成り、この収納保管袋体の開口部には閉塞手段を設けたことを特徴とする清掃器具・用品等の収納保管袋。
【請求項２】
収納保管袋体は、抗菌素材が含有されている軟質塩化ビニール樹脂シート製である請求項１に記載の清掃器具・用品等の収納保管袋。
【請求項３】
閉塞手段は、二重の縛り紐による巾着縛り構造としてある請求項１または２に記載の清掃器具・用品等の収納保管袋。
【考案の詳細な説明】
【技術分野】
【０００１】
この考案は、主として清掃事業者等が清掃用パッド、ブラシ、モップ等の清掃器具・用品等を収納、保管、持ち運び等に際し、これらに付着している雑菌・バクテリア等に起因する異臭等の発生を抑制し、清潔に維持できるようにした清掃器具・用品等の収納保管袋に関する。
【背景技術】
【０００２】
ビル、工場その他の清掃には、それらの床面部材等が各種の化学合成品等で構成されるようになったことに伴いそれらに対応した清掃方法が行われる必要があり、また経済的観点その他から外部委託等によって専門業者等が請け負い、担当することが多い。専門業者等が担当することで、床面部材の材質それぞれに応じた専用の清掃器具・用品等を使用し、適確な清掃が実施され、しかも一層清潔な環境を実現できるものとなっている。
【０００３】
ただ、汚染された清掃場所を清掃する結果、その清掃器具・用品等には清掃場所に存している各種の汚染物質・雑菌・バクテリア等が付着することになり、それらを洗い流しても完全には除去できないのが実情である。そのため、これらの清掃器具・用品等を持ち運んで他の清掃場所に移動するとき、例えば車輌内に持ち込む場合、車内環境によっては清掃器具・用品等に付着の雑菌・バクテリア等が繁殖し、異臭を発生することがある。
【０００４】
こうしたことから、これらの各種の清掃器具・用品等を一時的にでも保管し、収納することで異臭等の周囲への放散等を防止すべく、例えば特許文献１に示される作業服類の保管袋及びこれを用いた保管方法があり、特許文献２に示される便器清掃用ブラシがある。
【先行技術文献】
【特許文献】
【０００５】
【特許文献１】特開２００９−２２７３３８号公報
【特許文献２】登録実用新案第３０７７３１８号公報
【考案の概要】
【考案が解決しようとする課題】
【０００６】
ただ、これらの従来の例えば特許文献１によるものは、作業服類特にそれが放射線管理区域で使用されることによって、放射能等で汚染され得る作業服類等を一時的に収納保管するためのものであり、清掃器具・用品等等を収納保管するには不適である。また特許文献２によれば、ブラシを使用するときの作業者の手・腕を覆うように、また不用時の保管用のための多目的袋を使用するも、ブラシ柄に連繋している多目的袋自体の表裏反転でこれらに対応しており、そのブラシ専用のものであるから、一般的な各種の清掃器具・用品等を収納、保管することはできない。そればかりでなく、清掃作業用の清掃器具・用品等には、清掃用パッド、ブラシ、タオル、柄付きのモップ、回転ブラシ機その他の小型のものから大型のものまで各種態様のものがあることでこれらを収納し、保管するに適した汎用性あることが必要であっても、これに対応可能なものは従来提供されていなかったのである。
【０００７】
そこでこの考案は叙上のような従来存した諸事情に鑑み創出されたもので、その目的は各種の清掃器具・用品等に大小、形態の相違その他があっても、それらに対応してほぼ密閉状態で覆い、例えば持ち運ぶときの車輌内でも異臭を発生させず、しかも収納保管中での清掃器具・用品等に存する雑菌類の繁殖を抑制できることで作業現場で開放し、取り出し、使用するときでも清掃場所にその雑菌類を伝染させずに済み、衛生的に作業を遂行できるようにする清掃器具・用品等の収納保管袋を提供することにある。
【課題を解決するための手段】
【０００８】
上述した課題を解決するため、この考案にあっては、清掃器具・用品等Ｓを収納保管する袋状を呈し、抗菌処理が施されている収納保管袋体１から成り、この収納保管袋体１の開口部には閉塞手段５を設けたことを特徴とする。
収納保管袋体１は、抗菌素材２が含有されている軟質塩化ビニール樹脂シート製とすることができる。
閉塞手段５は、二重の縛り紐８による巾着縛り構造として構成することができる。
【０００９】
以上のように構成されたこの考案に係る清掃器具・用品等の収納保管袋にあって、収納保管袋体１に施されている抗菌処理は、収納保管袋体１内に収納した各種の清掃器具・用品等Ｓに付着された雑菌・バクテリア等の繁殖、更にはこの繁殖による異臭の発生を抑制し、周囲に異臭を発散させない。また、収納保管袋体１から清掃器具・用品等Ｓを取り出し、再使用に際する開放時でも衛生的に維持させる。
収納保管袋体１の開口部を閉塞する閉塞手段５の縛り紐８による巾着縛り構造は、清掃器具・用品等Ｓの全体を収納した状態でも、その一部が外出した状態でも、そのままで収納保管袋体１内をほぼ密閉状に閉塞し、収納保管袋体１内外をほぼ遮断させる。また、縛り紐８による縛結は、収納保管袋体１が軟質塩化ビニール樹脂シート製であることと相俟ち、開口形状の大小にかかわらず、窄み状にした状態で閉塞させる。
【考案の効果】
【００１０】
この考案は以上説明したように構成されているため、モップ、ブラシ等の各種の清掃器具・用品等Ｓに大小、形態の相違その他があっても、それらに対応してほぼ密閉状態で覆った状態で収納保管でき、例えば持ち運ぶときの車輌内でも抗菌作用によって清掃器具・用品等Ｓに存する雑菌類の繁殖を抑制し、これに伴う異臭を発生させない。しかも収納保管中での雑菌類の繁殖を抑制できることで、他の作業現場で収納保管袋体１を開放し、清掃器具・用品等Ｓを取り出し、使用するときでも清掃場所にその雑菌類を伝染させず、衛生的に作業を遂行できる。
【００１１】
すなわちこれはこの考案において、清掃器具・用品等Ｓを収納保管する袋状を呈し、抗菌処理が施されている収納保管袋体１から成り、この収納保管袋体１の開口部には閉塞手段５を設けたからであり、これによって収納保管時の雑菌類の繁殖の抑制、これに伴う異臭発生等の抑制、これらの周囲への放散の防止、衛生管理の向上を図り得る。
【００１２】
また、袋状の収納保管袋体１には抗菌処理が施されているから、ほぼ密閉した状態で収納した各種の清掃器具・用品等Ｓに付着され、存在している雑菌・バクテリア等の繁殖を効率よく抑制し、例えばこれを車輌内で保管、運搬しても車輌内には異臭を生じさせず、清掃作業員の健康維持、衛生管理を大きく向上できる。
【００１３】
収納保管袋体１の開口部を閉塞する閉塞手段５は、二重の縛り紐８による巾着縛り構造としてあることで、収納保管袋体１が軟質塩化ビニール樹脂シート製であることと相俟って、その閉塞縛結、解除開放操作も円滑に行えるばかりでなく、例えば清掃器具・用品等Ｓの一部が外出した状態でも、そのままでほぼ密閉した状態でしっかりと閉塞できる。そのため、汚損された雑巾、タオル、清掃用パッド、ブラシ等の比較的に小型の清掃器具・用品等Ｓのみならず、柄付きの濡れたモップ等の長尺品、回転ブラシ機のブラシ部分等の比較的に大型の清掃器具・用品等Ｓであっても、収納保管できる汎用性を備え、便利である。
【００１４】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１５】
【図１】この考案を実施するための一形態を示す一部切欠斜視図である。
【図２】同じくパッド、タオル等の小型の清掃器具・用品等を収納したときの斜視図である。
【図３】同じく柄付きモップ等の大型の清掃器具・用品等を収納したときの斜視図である。
【考案を実施するための形態】
【００１６】
以下、図面を参照してこの考案を実施するための一形態を説明すると、図において示される符号１は各種の清掃器具・用品等Ｓを一時的にでも収納保管するように所定容量を有していて、閉塞可能にした開口部を備えた袋状の収納保管袋体であり、抗菌素材２を含有させた例えば肉厚が０．２ｍｍ程度にした軟質塩化ビニール樹脂シート製のものとしてある。収納保管袋体１自体は、清掃器具・用品等Ｓの非収納時では扁平な矩形袋状を呈しており、例えば横幅が５５０ｍｍ、縦深さが７００ｍｍ程度の大きさのものとしてあるも、これに限定されるものではない。
【００１７】
この収納保管袋体１自体は、例えば底部には所定幅員の折込部３を形成して、収納した清掃器具・用品等Ｓを安定性よく収納支持できるように底部を拡開可能なものとしてあり、また、このような折込部３は収納保管袋体１の側部にも形成しておくこともできる。また、収納保管袋体１は防水性・耐水性を備えていることが望ましく、濡れている清掃器具・用品等Ｓであっても収納可能にしてある。
【００１８】
抗菌素材２は、例えば無機質系の抗菌剤として銀、銅、亜鉛化合物など、金属イオンの静菌作用を利用できるように、特に効果が高いとされる銀イオンによるように銀粉を収納保管袋体１素材中に含有させてある。また、有機系の抗菌剤として、例えば合成系抗菌剤である化学合成した有機化合物であったり、天然系抗菌剤であるフィトンチッド、ヒノキチオール等の植物の精油等の天然物質であったりするものを含有させることもできる。場合によっては、このような抗菌剤を収納保管袋体１の内側面更には外側面に塗布することであっても良い。
【００１９】
なお、本実施の形態にあっては、軟質塩化ビニール樹脂シートに０．３ｐｈｒ程度の銀系抗菌剤を含有させてあり、これを使用した黄色ブドウ状球菌、大腸菌による抗菌試験では、これらを０．１％以下の生存率に抑制できた。また、軟質塩化ビニール樹脂に代え、ポリプロピレン樹脂、高密度ポリエチレン樹脂等を素材とすることも可能である。
【００２０】
収納保管袋体１の開口部には、収納保管袋体１自体を閉塞する閉塞手段５を設けてある。この閉塞手段５は、開口部分に開口縁を折り返す等で開口部に沿って横長状の筒状の紐通し部６を形成すると共に、この紐通し部６に紐通し孔７を開穿配列し、隣接する紐通し孔７に紐通し部６内外で交互に縛り紐８を二重に挿通させて、収納保管袋体１の対向する縁部位置の紐通し孔７外で互いに縛結することで、いわゆる巾着縛り形態となるようにしてある。このような閉塞手段５とすることで、縛り紐８の縛結部分を互いに反対方向に牽引することによって、収納保管袋体１の開口部をしっかりと窄めて閉塞でき、例えば開口部から清掃器具・用品等Ｓの一部が外出することがあっても、その外出部分を覆った状態で、内部に収納した清掃器具・用品等Ｓをほぼ密閉状にして収納保管可能にする。
【００２１】
もとより、この閉塞手段５は、このような縛り紐８による閉塞構成とせずに、例えば開口部縁の対向面に形成する凹凸部相互の嵌め合いによるチャック構造のものとしたり、面ファスナーの接合による面結合構造のものとしたり、凹凸ムシ部相互の噛み合い・離反によるスライドファスナー構造のものとしたり等の各種の開閉構造とすることが可能であるのは勿論である。
【００２２】
また、収納保管袋体１自体は、収納保管する清掃器具・用品等Ｓの大小、形態の相違等に対応して例えば大・中・小等の大きさが異なる各種容量のものを予め用意しておくも良く、更には収納時の立体形状として直方体状を呈するのみならず、底部形状を適宜に選定することで円筒状その他を呈するように構成しても良い。
【００２３】
次にこれの使用の一例を説明すると、清掃場所の清掃に際し使用した各種の清掃器具・用品等Ｓ例えば清掃用パッド、ブラシ、タオル、汚染された雑巾、濡れたモップ等を収納保管袋体１内に収納すれば良い。収納に際し、清掃用パッド、ブラシ、タオル、汚染された雑巾等の比較的に小型のものであれば、図２に示すように収納保管袋体１内にその全体を収納でき、収納した状態で閉塞手段５によって収納保管袋体１の開口部を閉塞する。また、柄付きモップのように長尺のもの、回転ブラシ機のような大型のもののブラシ部分等であれば、図３に示すようにその汚損・汚濁部分を収納保管袋体１内に収納し、収納した部分を覆うように例えば柄の一部を外出させた状態で閉塞手段５によって閉塞する。
【００２４】
閉塞に際し、巾着縛り式の閉塞手段５によって、清掃器具・用品等Ｓ全体を収納した状態でも、一部を外出させた状態でも、収納保管袋体１の開口部を窄めさせ、また窄めさせた後の縛り紐８の適数回の巻回操作後の縛結によってほぼ密閉状に開口部を閉塞するようにすれば良い。
【００２５】
このように清掃器具・用品等Ｓを収納保管袋体１内に収納した状態で、例えば車輌内に持ち込み、持ち運べば良く、その間、収納保管袋体１自体が備えている抗菌作用によって、収納閉塞した収納保管袋体１内部では清掃器具・用品等Ｓにおける雑菌・バクテリア等の繁殖が抑制され、例えば持ち運び時の車輌内においても異臭を生じさせず、また再使用に際し収納保管袋体１を開放しても、衛生的に維持できる。
【産業上の利用可能性】
【００２６】
また、この考案に係る清掃器具・用品等の収納保管袋は、清掃器具・用品等Ｓを収納保管する場合に限らず、汚染、汚損された各種物品の収納保管にも利用でき、付着している雑菌・バクテリア等の繁殖を抑制し、衛生管理の向上に役立てることができる。
【符号の説明】
【００２７】
Ｓ…清掃器具・用品等
１…収納保管袋体                        ２…抗菌素材
３…折込部                              ５…閉塞手段
６…紐通し部                            ７…紐通し孔
８…縛り紐
【図１】
0003158546.tif 000003
【図２】
0003158546.tif 000004
【図３】
0003158546.tif 000005
【手続補正書】
【提出日】平成22年2月2日(2010.2.2)
【手続補正１】
【補正対象書類名】実用新案登録請求の範囲
【補正対象項目名】全文
【補正方法】変更
【補正の内容】
【実用新案登録請求の範囲】
【請求項１】
清掃器具・用品を収納保管する袋状を呈し、抗菌処理が施されている収納保管袋体から成り、この収納保管袋体の開口部には閉塞手段を設けたことを特徴とする清掃器具・用品の収納保管袋。
【請求項２】
収納保管袋体は、抗菌素材が含有されている軟質塩化ビニール樹脂シート製である請求項１に記載の清掃器具・用品の収納保管袋。
【請求項３】
閉塞手段は、二重の縛り紐による巾着縛り構造としてある請求項１または２に記載の清掃器具・用品の収納保管袋。
【手続補正３】
【補正対象書類名】明細書
【補正対象項目名】０００１
【補正方法】変更
【補正の内容】
【０００１】
この考案は、主として清掃事業者等が清掃用パッド、ブラシ、モップ等の清掃器具・用品等を収納、保管、持ち運び等に際し、これらに付着している雑菌・バクテリア等に起因する異臭等の発生を抑制し、清潔に維持できるようにした清掃器具・用品の収納保管袋に関する。
【手続補正４】
【補正対象書類名】明細書
【補正対象項目名】０００７
【補正方法】変更
【補正の内容】
【０００７】
そこでこの考案は叙上のような従来存した諸事情に鑑み創出されたもので、その目的は各種の清掃器具・用品等に大小、形態の相違その他があっても、それらに対応してほぼ密閉状態で覆い、例えば持ち運ぶときの車輌内でも異臭を発生させず、しかも収納保管中での清掃器具・用品等に存する雑菌類の繁殖を抑制できることで作業現場で開放し、取り出し、使用するときでも清掃場所にその雑菌類を伝染させずに済み、衛生的に作業を遂行できるようにする清掃器具・用品の収納保管袋を提供することにある。
【手続補正５】
【補正対象書類名】明細書
【補正対象項目名】０００９
【補正方法】変更
【補正の内容】
【０００９】
以上のように構成されたこの考案に係る清掃器具・用品の収納保管袋にあって、収納保管袋体１に施されている抗菌処理は、収納保管袋体１内に収納した各種の清掃器具・用品等Ｓに付着された雑菌・バクテリア等の繁殖、更にはこの繁殖による異臭の発生を抑制し、周囲に異臭を発散させない。また、収納保管袋体１から清掃器具・用品等Ｓを取り出し、再使用に際する開放時でも衛生的に維持させる。
収納保管袋体１の開口部を閉塞する閉塞手段５の縛り紐８による巾着縛り構造は、清掃器具・用品等Ｓの全体を収納した状態でも、その一部が外出した状態でも、そのままで収納保管袋体１内をほぼ密閉状に閉塞し、収納保管袋体１内外をほぼ遮断させる。また、縛り紐８による縛結は、収納保管袋体１が軟質塩化ビニール樹脂シート製であることと相俟ち、開口形状の大小にかかわらず、窄み状にした状態で閉塞させる。